(57)【特許請求の範囲】
【請求項１】
第一の端部と第二の端部とを有するシャフトと、
シャフト中でその第一の端部からその第二の端部に向かって予め定められた距離で形成され、しかも前記シャフトの前記第一の端部と第二の端部の間で前記シャフトの長さより短く形成したボアと、
第一の端部に取付けられたフェルールと、
フェルールに取付けられた先端部と、
を有しており、前記フェルールは、前記先端部がボールを突く際に圧縮されてその打撃力の一部を吸収できるように前記シャフトを形成している材料の圧縮特性より大なる圧縮特性を有する材料で形成されている、ビリヤード用のキュー。
【請求項２】
特許請求の範囲第１項記載のビリヤード用のキューにおいて、更に、
前記先端部とフェルールとの間に弾性パッドを設けてなる、ビリヤード用のキュー。
【請求項３】
特許請求の範囲第１項記載のビリヤード用のキューにおいて、更に、
前記シャフトは、複数の扇形分割片によって形成されており、前記各扇形分割片は、それらの部分がシャフトを形成した状態でラジアル方向の木目組織をシャフトの長手軸方向にわたって延在している、ビリヤード用のキュー。
【請求項４】
特許請求の範囲第１項記載のビリヤード用のキューにおいて、更に、
前記フェルールは、実質的に０．２５×１０6ｐｓｉの弾性率を有している材料でなる、ビリヤード用のキュー。
【請求項５】
特許請求の範囲第１項記載のビリヤード用のキューにおいて、
前記フェルールは、実質的に０．２５×１０6ｐｓｉより小さい弾性率を有している材料でなる、ビリヤード用のキュー。
【請求項６】
特許請求の範囲第１項記載のビリヤード用のキューにおいて、
前記フェルールは、実質的に０．３５×１０6ｐｓｉより小さい弾性率を有している材料でなる、ビリヤード用のキュー。
【請求項７】
特許請求の範囲第１項に記載のビリヤード用のキューにおいて、更に、
フェルール中に形成されていて、前記シャフトに取付けられた状態で前記シャフトの第一の端部に隣接するフェルール端部から延在して前記シャフト中のボアに連通しているボアを有している、ビリヤード用のキュー。
【請求項８】
特許請求の範囲第７項に記載のビリヤード用のキューにおいて、更に、
前記シャフトの第一の端部から中心軸に沿って外方に向けて延出しているほぞ継ぎを前記シャフトに形成してあり、そのほぞ継ぎは、前記フェルール中のボアの中に延在している、ビリヤード用のキュー。
【請求項９】
特許請求の範囲第７項に記載のビリヤード用のキューにおいて、更に、
前記フェルールが前記シャフトに取付けられた状態で、前記フェルールから中心軸に沿って外方に向けて延出しているほぞ継ぎを前記フェルールに形成してあり、そのほぞ継ぎは、前記シャフト中のボアの中に延出している、ビリヤード用のキュー。
【請求項１０】
特許請求の範囲第１項に記載のビリヤード用のキューにおいて、
前記先端部はこれに円弧状表面を形成するような小さな半径を有していることで、前記先端部がボールを突く際の打撃力をシャフトの中心軸に沿った方向に求心することができるようにしてある、ビリヤード用のキュー。
【請求項１１】
対向する第一及び第二の端部を有するシャフトと、
前記シャフトの前記第一の端部に取付けられたフェルールと、
前記フェルールに取付けられた先端部と、
を有しており、前記シャフトは、複数の扇形分割片が長手方向に接合延在してなり、各扇形分割片は、一つの内側縁と、角度をもって間隔おいて対向配置された二つの側縁と、外側縁とを有しており、前記シャフトの前記第一の端部から延在して前記各扇形分割片の内側縁に谷部が形成され、その谷部は、前記扇形分割片が接合された状態でシャフト中のボアを形成している、ビリヤード用のキュー。
【請求項１２】
特許請求の範囲第１１項に記載のビリヤード用のキューにおいて、各扇形片は、それぞれのラジアル内側縁方向に延在する木目組織を有している、ビリヤード用のキュー。
【発明の詳細な説明】
発明の背景
発明の属する技術分野
この発明は、概してビリヤード用のキューに関する。
従来技術の説明
ビリヤード用のキューは、細長いシャフトと、そのシャフトの一端のバット部（後端部）と、先端部を保持するためにその対向する端部に設けたフェルール（取付け金具）とで構成されている。そのシャフトは、一本の材料で形成されたものであっても、また、ねじで接合できる二本の部材で形成されたものもある。通常は、例えばカエデ材のような硬質木材で構成されている。
アルミニューム、鋼材、合成樹脂、炭素繊維などのような他の材料も、このビリヤード用のキューシャフトの材料として用いることができる。木材でない材料で構成されたキューは、その重量、固さ又は剛性が木材に近似するように調製されている。しかしながら、硬質木材のキューより具合のよいものは未だに提供されていない。
また、米国特許第６７２６４６号には、バット部のところからフェルールを担持したより細い先端部にかけて典型的なテーパを形成する、全体的に丸い横断面の全体的にパイ形部分のような長片を接着集合してキューシャフトを形成する方法が教示されている。この特許発明では、木材の各部分の木目組織又はストリップが、緻密組織層と多孔質組織層とが互いに交代整列しており、それらは、各ストリップの外表面と全体的に平行な各ストリップの傾斜した側縁の間に延在するように配置されている。
一般的にビリヤード用のキューは、一種又は二種のテーパが形成されている。アメリカンスタイルのテーパのキューは、先端部から大体最初の１２インチのところで大体０．５インチの半径を有しており、これは、プレイのときに一般的に用いる最も大なるブリッジの長さである。テーパの他の一般的なタイプは、「ヨーロピアンテーパ」である。このスタイルのキューは、全長にわたって大体０．３５から０．４５インチで先端部に向かってテーパにしてある裁頭円錐形をなしている。
以前に取り付けられていたフェルールは象牙製であり、シャフトを構成するのに用いられた材料より実質的に硬度が高かった。より最近では、強化されたフェノール樹脂や熱可塑性樹脂がフェルールの形成に用いられている。かかるフェルールは、シャフトを構成するのに一般的に用いられている硬質カエデ材の１．８×１０6ｐｓｉの弾性率と比較してみると、高くて１．３×１０6ｐｓｉから低い方で０．３５×１０6ｐｓｉの弾性率の範囲にある。典型的には、シャフトの端部からフェルールの一端からその内部に延在する中空部の中に突入させたり、あるいはフェルールからシャフトの一端に設けた中空部の中に突入させるほぞ継ぎで、そのフェルールはシャフトの一端に接着及び／又は圧密係合させてある。
典型的には、皮革で形成される先端部は、そのフェルールに接着接合されている。一般的には、その先端部は、通常の方法によると概して平らなボール接触端部を提供するための大きな半径を有している。
皮革材で形成された先端部は、接着によりフェルールに接合される。一般的にその先端部は、広く行われている方法によれば、ボールと接触するための全体的に平坦な端部を提供するために大きな円弧半径を以て形成されている。
使用するときは、そのシャフトは、先端部でボールを突くためにシャフトを突き出す前に、所望のキューボールの軌跡の線に合わせて配置される。そのキューは、また、キューボールの中心を外して、すなわち、キューボールの中心から左右又は上下に外したりして、そのキューボールにスピン，ドロー，フォローをかけてそのボールが他のボールやレールに当たった後で所望の方向に動かすことができるようになっている。
しかしながら、キューボールの中心の左右の何方かにキュー先端が当たるかによって、キューの突き出し線と平行な動的軌跡に沿わなくなる。むしろ、そのキューボールは、横にそれるか、キューの突き出し線に対してある角度の軌跡をとることになる。このいわゆるそれ角度は、突き出し速度と、そのキューの先端部がキューボールを突いた位置の中心からの距離で変わるが、中心からのある距離とある速度とにおいては、それ角度の大きさは、基本的にはキューそれ自体の作用の問題なのである。
図１に示すように、中心を外した突きでは、その先端部，フェルール，そしてプレイヤーの手元ブリッジに至るシャフトの端部には、そのボール中心に最も近いシャフトの内側縁部８においてキューボールによって先端部にインパクトが与えられると衝撃力７が生じ、その負荷によって仮想線で示すように初期湾曲変形が起こる。この湾曲変形に引き続いて、そこで先端部，フェルール，シャフト端部の外側への曲がりが惹起される。その大なる曲がりは、曲がりを最小に見積もったとき、キューの突き出し線に平行な動きの軌跡からのより大きくてより予期しないキューボールのそれを惹起すること、及びキューの端部はキューボールのインパクトの後でキューボール中心から外側に撓んだり又は曲がったりし易いことが、この出願人の試験によって示されている。図２Ａは、剛性のあるキューによって中心の右を打撃されたキューボールのそれ角度を示している。角度Ａ，Ｂ，Ｃは同じスピン角度と速度を示すようにしてある。矢印１は、ボールの剛性のあるキューの突き出し線からのそれ線を示している。
図２Ｂでは、角度Ａ’，Ｂ’，Ｃ’は、図１Ａの角度Ａ，Ｂ，Ｃと等しく同じスピン角度と速度とを示している。しかしながら、図２Ｂ中のキューは、図２Ａの剛性キューよりは可撓性がある。これは、矢印２で示すように、キューの突き出し線からキューボールが全体的にそれるのを小さくする。
この出願人の試験によれば、硬質の従来フェルールは、なお幾分硬質のカエデ材と比べて柔らかく、キューボールのそれ角度を減少させることができる圧縮特性を提供することが判った。しかしながら、この利点は、シャフトと比べてフェルールの重量を増大させることでより重くなり、シャフトの先端部重量を増大させてキューボールの実質的なそれを惹起させる。エービーエス樹脂のフェルールを用いる従来技術では、プラスチック製のフェルールの圧縮性能と重量の増大との交換を行っているが、かかるシャフトとエービーエス樹脂のフェルールの結合体で打撃されたキューボールのそれ角度はフェルールなしのシャフトでの角度とほぼ同じである。
かくして、シャフトの先端部が外方に容易に撓むのを許容しながら曲がりを最小にしてキューシャフトの突き出し線からキューボールがそれるのを小さくできるビリヤードキューを提供することが要請される。また、ボールにキューの打撃を与えているときに発生する打撃力を吸収するだけの圧縮特性を有して曲がりを最小にすると共に、キューの先端部が外方に容易に撓むようにできるビリヤードキューの提供が要請される。また、キューボールの中心を外した打撃をするときにシャフトの長手軸の方向にキューボール打撃の求心をして曲がりを減少させると共に、外方への撓みを容易にし且つ打撃されたキューボールのそれを小さくすることができるビリヤードキューの構造を提供することが要請される。そして更に、先端部をより軽くし、打撃の際に先端部を迅速に横方向加速させることによって先端部を外方に容易に撓ませると共に、キューボールのそれを小さくすることができるビリヤードキューを提供することが要請される。
発明の概要
この発明は、先端部でキューボールを打撃した際に圧縮されて打撃力をある程度吸収することで、シャフトの先端部が外方に撓むのを容易にすることができるフェルールを有するビリヤードキュウに関する。この圧縮特性とシャフトの外方への撓み容易性とにより、中心を外しての打撃つまりオフセンターヒットの際のシャフト先端部の内側への曲がりを最小にし、またキューの突き出し線からキューボールがそれる程度を小さくすることができる。
この発明によるビリヤードキューは、対向する第一及び第二の端部を包含している。フェルールは、そのシャフトの第一の端部に取付けられている。先端部は、そのフェルールに取付けられている。そして、そのフェルールは、より大なる圧縮特性を有していてキューボールとの先端部における打撃で圧縮されて打撃力の一部を吸収する。
一つの実施例では、シャフト中に、ボアが、フェルールが取付けられている第一の端部から長手軸に沿って第二の端部に向かって予め定められた距離にわたって延在している。そのボアは、シャフトの長さより短くしてある。
先端部は、より真円性の高い接触面を形成して、特に中心をずらして行なうオフセンターヒットの場合に打撃力をシャフトの長手方向に求心してそのシャフトの先端部の内側への曲がりを少なくするために、従来用いられていた先端部より小さな半径を有しているのが好ましい。
他の実施例としては、フェルールの中において、これがシャフトの第一の端部に取付けられた状態で、フェルール端部から長手方向に延在するボアが形成されたものもある。そのフェルール中のボアは、そのフェルールがシャフトの第一の端部に取付けられるときにそのシャフト中のボアと連通するように配置されている。
そのフェルールは、好ましくは、フェルール又はシャフトの両方に対応形成されたほぞ継ぎによってシャフトの第一の端部に取付けられている。そのほぞ継ぎは、シャフトにおいてその第一の端部から外方に向け、フェルールに形成されたボアの中に延びるように形成することが望ましい。この実施例では、そのシャフトにおけるボアはそのほぞ継ぎを通って延在する。
そのシャフトは、多数の同じ木片からなる多数の部分で構成されると好適である。各部分は、概略的にパイ形をなしていて、それらの部分が一緒に接合されたときに、木目組織がシャフトの長手軸方向に配向するようにしてある。そのシャフトにおけるボアは、そのシャフトの各部分の先端部の内側縁部に谷部を形成することで容易に画成することができる。
この発明のビリヤード用のキューは、新規にキューのボールへの打撃において圧縮変化ができるようにして打撃力の一部を吸収し、これによって、先端部，フェルール，シャフト端部の内方に曲がりを最小にしながら、ボールから先端部が外方に容易に撓むようにすることができる。これによって、ボールはシャフトの突き出し線からそれる度合いを小さくすることができる。このような圧縮変化が得られるようにするために、そのフェルールは、シャフトを形成している材料よりは柔らかいかより圧縮性の高い材料で形成される。更に、その先端部は、通常の半径よりは小さく形成されていて、特にボールをオフセンターインパクトする場合にシャフトの長手軸方向に打撃力を求心してシャフトの曲がりを小さくするようにしてある。
シャフトの先端部に形成されたボアは、また、その先端部の重量を低減させ、而してキューシャフトの先端部は軽量化され、その軽量化の故にその先端部は横方向への迅速な加速ができるので、以前のような構成のキューシャフトよりは容易に外方への撓みができるようになった。更に、フェルール中のボアは、シャフト中のボアと一列をなしていて、シャフトの先端部における重量・質量を低減するものである。軽量化された先端部と圧縮性の高いフェルールとの組合せは、キューに対して、従来用いられていたキュー構造よりは打撃されたキューボールのそれ角度を低減するのにより良好な特性をもたらす。
【図面の簡単な説明】
この発明の多くの特徴や他の用途は、以下の詳細な説明と図面とによってより明瞭になる。
図１は、従来のフェルール先端部の拡大図であり、
図２Ａは、従来のビリヤードキューが、ボールを突いたときを示す説明図であり、
図２Ｂは、この発明のビリヤードキューが、ボールを突いたときを示す説明図であり、
図３は、この発明の教示するところによって構成したビリヤードキューの側面図であり、
図４は、図３における４−４線に沿った断面図であり、
図５は、図１に示した先端部，フェルール，キューのシャフトにおける一端部を示す一部破断斜視図であり、
図６，図７，図８，図９，図１０は、図１に示したキューのシャフトの端部にフェルールと取付けるための別な実施例を示す横断面図であり、
図１１は、図３に示したキューの先端部及びフェルールの拡大図であり、この発明の更なる特徴を示している。
好適な実施例の説明
特に図３を参照すれば、そこには、予めこの発明によって構成されたビリヤード用のキュー１０が示されており、これは、新規に設計されたシャフト，フェルール，そして先端部を有しており、打撃力の一部を吸収し、シャフトの先端部が内方に曲がるのを抑制しながら容易に外方に撓ませもってボールが、少ないそれの度合いでその意図された移動軌跡に沿った真の軌道を採るようにしてある。
図３，図４，図５に示すように、キュー１０は、シャフト１２と、バット端部（後端部）１４，フェルール１６そして先端部１８とを包含している。そのシャフト１２は、一本の長い部材で形成されてもよく、またを同軸的に螺合させた二本の短い部材で形成されてもよい。通常のように、そのシャフト１２は、適当な材料、つまりカエデ材のような木材であっても、また炭素繊維のような合成材料などであってもよい。
そのシャフト１２は、一体な材料でなる横断面を有しているものであってもよいが、図４に好適な実施例として示したように、そのキュー１０のシャフト１２は、アーチ状外側面を有して全体的にパイ形分割片、又は複数の扇形分割片２０，２２，２４，２６，２８，３０によって構成される。扇形分割片２０，２２，２４，２６，２８，３０は、同一木材片で形成されている。しかしながら、そのシャフト１２の形成には、単一の木材片でなる隣接する部分２０，２２，２４，２６，２８，３０は、原木片では非隣接的だったものを隣接させて配列する。かくして、例えば、部分２０と２６とは、原木片では隣接的であったかもしれないが、組立られたシャフト１２ではその直径方向に対向させた側に配置される。各部分２０，２２，２４，２６，２８，３０の木目組織が、図４に示すようにシャフト１２の長手軸又は芯の方向に配向延在するようにすることが重要である。これは、シャフト１２の強度を増すものと考えられる。
図５に示すように、符号３６で示すボアがシャフト１２の中に形成されていて、突く動作のときにキューの先端部を支えるプレイヤーの手に形成されるブリッジの長さに近い長さとなるように、そのシャフト１２の第一の端部３８から一定の距離だけシャフト１２の反対端部である第二の端部４０に向かって延在している。そのボア３６は、そのシャフト１２の第二の端部４０から間隔を置いた端部で概してシャフト１２の第一の端部３８に近いところで終端している。このボア３６の作用は、キュー１０の先端部のの重量を軽減することで、以下に説明するように打撃の際に先端部をより大きく加速することにある。そのボア３６は、各部分２０，２２，２４，２６，２８，３０の内側縁の谷部２３によって形成されるのであるが、その谷部２３は、それらの部分２０，２２，２４，２６，２８，３０が結合されたときに完全なボア３６の一部をなすものである。
そのボア３６は、図４と図５とに示すように中空に保たれることが好ましい。また、そのボア３６には、例えばウレタンのような軽量弾力性材料の栓体を充填するような構成とすることもできる。
「アメリカン」又は「ヨーロッピアン」の何れのタイプのテーパを有する木製シャフト１２であっても、直径０．５０インチのシャフトに直径０．２５インチのボア３６を形成することで必要な剛性又は硬さを維持しながらより軽量に構成することができる。かかる径のボア３６は、シャフト剛性を６％だけ減じるだけでシャフト１２の先端部流量の約２５％低減することができる。この出願人の試験によれば、「アメリカン」タイプのテーパを有するシャフト１２の先端部から最初の５インチにわたって延在する０．２５インチ径のボアは３グラムの木材を減じるが、キューボールにそれ角にして２２％を減じることになることが判明した。「ヨーロッピアン」タイプのテーパを有するシャフト１２の同様な径と長さのボアの場合でも同様な結果が得られた。
硬質カエデ材からシャフト１２を構成する他にも、特に必要なより好適な弾力特性を有する材料を用いることができる。グラファイトエポキシ樹脂又はＦＲＰのような材料は、硬質カエデ材に比して単位重量当たり８倍の強度を持つ。しかしながら、このように合成樹脂材料又は部分的に合成樹脂材料で形成されたシャフトにおいては、その先端部は、全体が木製のシャフトと同じかそれ以上の重さがある。かくして、かかる合成樹脂材料を用いるときに、このボア３６はより有効なものとなる。
例えば、弾性率が１２×１０6ｐｓｉで外径が０．５インチの管状でボア３６を囲む壁の厚さ０．０１インチのグラファイト／エポキシ製シャフトは、対応する直径０．５インチのカエデ材シャフトに近い弾性率の剛性を有するが、カエデ材シャフトの重さの１５％に過ぎない。９×１０6ｐｓｉの弾性率で外径０．５インチの管状で壁厚０．０１５インチのカーボン／ポリエステル製のシャフトは、０．５インチ径のカエデ材の弾性率に近い剛性を有しておりながら、カエデ材シャフトの２０％の重さに過ぎない。最後に挙げる例であるが、グラス／エポキシ製，グラス／ポリエステル製、又は６ナイロン製で５×１０6ｐｓｉの弾性率、０．５インチ径の管状で壁厚０．０２５インチのシャフトは、カエデ材シャフトの弾性率に近い剛性を有しているが、その重量は、カエデ材のそれより３７％に過ぎない。
図５により詳細に示すように、フェルール１６は、全体的にシリンダ状をなしていて小径の第一の端部４０と反対端部である大径の第二の端部４２との間に真っ直ぐな壁又は僅かにテーパとなっている部分とを有している。そのフェルール１６は、例えばナイロン，ＡＢＳ樹脂，ウレタン樹脂そして木材なども含む種々の材料で構成することができる。フェラール１６を形成するのに用いる材料の臨界的な特性について言及するならば、シャフト１２を形成するのに用いられた材料の圧縮特性より大なる長手方向の圧縮特性を有することである。このより大なる圧縮特性によって、キューボールの打撃でシャフトの先端部に入力された打撃力の一部を吸収し、またシャフト１２への衝撃を和らげ、その先端部が内方に曲がるのを最小に抑えながらキュー１０の先端部を外方に撓ませる。これによって、キュー１０によって突かれたボールがキューの突き出し線に平行な動きの軌跡からのそれ程度を小さくすることができる。
シャフトの先端部の曲がりを小さくするために、この出願人は、従来構成されていたフェルール１６の弾性率より小さく、すなわち前述したように、０．３５×１０6ｐｓｉから１．３×１０6ｐｓｉの弾性率とすれば、オフセンターヒットのときにシャフト１２に負荷される衝撃を和らげることができる。フェルールの材料の選択で必要な他の要素としては、打撃強度，表面硬度，そして平滑度であり、これらは腐食や汚れなどに対して抵抗力を与える。
出願人は、オフセンターヒットの際のシャフト１２に生じる衝撃を和らげることによりシャフト１２の曲がりを低減させるのに必要な圧縮度を得るための圧縮率，衝撃強度そして表面硬度を満足する幾つかの材料を発見した。
そのフェルール１６を形成するのに好適な材料の例としては、
ＣＹＣＯＬＡＣ  ２８００  ＧＰＸ（Ｇｅｎｅｒａｌ  Ｅｌｅｃｔｒｉｃ社のＡＢＳ樹脂）、弾性率  約２．４×１０6ｐｓｉと、
ＩＳＯＰＬＡＳＴ  １０１（Ｄｏｗ社の硬質ウレタン）、
弾性率  約０．２５×１０6ｐｓｉと、
がある。
そのフェルール１６は、図５に示すように固形一体なものとして形成することができる。別な形としては、図６から図１０に示すように、そのフェルール１６には内部ボア４６を形成してもよい。そのフェルール１６をシャフト１２の第一の端部３８に取付けるための取付け配置によって、そのフェルール１６中のボア４６又はそのボア４６の少なくとも中心部分が、シャフト１２の第一の端部３８から延在するボア３６と連通するように配列されている。この配列構造は、以下に説明するように、キュー１０の先端部の重量の低減と、キュー１０の先端部の横方向へのより迅速な加速とを可能にする。
フェルール１６をシャフト１２の第一の端部３８に取付けるのに用いる取付け構造としては、幾種類も用いることができる。図６に示した実施例では、ほぞ継ぎ５０がシャフト１２に形成されていて、そのシャフト１２の第一の端部３８から外方に長手軸に沿って延出している。そのほぞ継ぎ５０は、フェルール１６のボア４６を画成している内周面と圧密結合している。更に、そのシャフト１２中のボア３６は、そのほぞ継ぎ５０を貫通してフェルール１６の内部にまで延在している。
図７に示した別の取付け構造では、ほぞ継ぎ５２が、フェルール１６の第二の端部４２から外方に向かい長手軸に沿って延出している。そのほぞ継ぎ５２は、シャフト１２の第一の端部３８に隣接してシャフト１２中のボア３６の内周面に係合している。この取付け態様においては、シャフト１２中のボア３６は、そのフェルール１６中のボア４６がほぞ継ぎ５２を貫通延在するようにして、フェルール１６中のボア４６と連通する。
図８に示した実施例においては、シャフト１２の第一の端部３８から外方に向けて、短いほぞ継ぎ５４が延出している。そのほぞ継ぎ５４は、予めフェルール１６中のボア４６の全長よりは小さく定められた距離にわたって、ボア４６を画成しているフェルール１６内周面と係合していて、フェルール１６内に、そのほぞ継ぎ５４の端部とフェルール１６の中実端部との間で拡大したスペースを残すようにしてある。
図９に示した実施例においては、シャフト１２の第一の端部３８から外方に向けてフェルール１６中のボア４６内に、ほぞ継ぎ４６が延出している。この構造では、ほぞ継ぎ５６とボア４６のそれぞれの長さは、図４に示した取付け態様における対応ほぞ継ぎ５０とボア４６より短くすることにより、フェルール１６の第一の端部４０に隣接したより長い中実端部５８を残してある。
最後に、図１０に示した実施例においては、フェルール１６には内部ボアは形成されていない。この実施例では、そのフェルール１６は、その第二の端部４２からシャフト１２中のボア３６の端部の中に延出しているほぞ継ぎ６０を包含している。シャフト１２内のボア３６の一部は、ほぞ継ぎ６０の端部を越えて残存している。
先端部１８が、接着によってフェルール１６の第一の端部１８に取付けられている。所望により、図１１に示された弾性パッド６４が先端部１８とフェルール１６の第一の端部４０との間に介装されてよい。その弾性パッド６４は、一例としてではあるが例えばウレタン樹脂のようなあらゆる弾性材料で形成されてもよい。その弾性パッド６４は、その先端部１８がボールを突く際に更に弾性を付加し、そして、その突きの際に僅かにロッキング（振動）することができる。
更に、その先端部１８は、図１１に示すように従来のものより小径に形成されている。そのように、単なる一例に過ぎないが８ｍｍとかそれ以下の７．５ｍｍのように小径に形成することで、シャフト１２の長手軸６８の方向への打撃力をより求心して負荷をその先端部１８に与えることになる。これは、図２Ｂに示すようにボール６６へのオフセンターヒットの際に特に有用であり、ボール６６をシャフト１２の突き出し線からのそれを小さくして推進することができる。
図１に示す従来の先端部７０は、この発明に係る先端部１８と比較すると大径であり１０ｍｍ又はそれ以上である。これにより、その先端部７０は、シャフト１２の突き出し線に全体的に平行な動きの軌跡からボール６６の大なるそれをもたらす先端部１８の接触と比べて、実質的に、ボール６６に対してシャフトの長手軸６８から更にラジアル方向外で接触することになる。
例えば、図１には、半径１０．５ｍｍの従来の先端部７０がボール６６に寸法線８２で示したボール中心から１０ｍｍの接触点８０で接触している状態を示してあるが、これは、シャフトの中心軸６８から大体４ｍｍのところに接触点を有することにある。この発明によってなる先端部１８は７．５ｍｍの半径で、図２Ｂに符号８８で示すようにボール６６の中心線からボールとの接触点が１０ｍｍであるが、それがより小なる円弧状をなしているので、符号９２で示すようにシャフトの中心軸から僅かに２．５ｍｍのところに接触点９０を有することになる。これにより、キューシャフト１２の中心軸により近いところでシャフト１２に負荷力をかけて、図１に示すようなシャフト１２の端部の好ましくない曲がりを低減させる。
この発明のキュー１０の特長は、図２Ａと図２Ｂを参照すればより明瞭になるのであるが、これらの図は、ボール７４を突く際の、それぞれ、従来のシャフト７２，シャフト１４，フェルール１６，先端部１８の各挙動を示している。図２Ａに示す従来のシャフト７２では、そのフェルール７６がシャフト７２と同じ硬さかそれ以上に硬く、且つより小なる圧縮特性の材料で形成されている。これにより、シャフト７２がボール７４を突くときに生じるいかなる打撃力も吸収しないようになっており、また、シャフト７２の先端部が図１に仮想線で示すように更に内方に曲がらせる。このような増大した曲がりは、打撃力が、ボール７４をオフセンターインパクトする際に概してシャフト７２の内側縁部に沿って伝達される結果を惹起する。
図２Ｂは、この発明に係るキュー１０の先端部のボール打撃の際の動きを説明している。上記したように、この発明に係るキュー１０のより大なる可撓性と、フェルール１０及び／又は先端部の圧縮特性とによって、図２Ｂに示すようにシャフト１２の先端部が内方に曲がるのが低減する。
この発明によるキュー１０は、ボール７６を突く際に、図２Ｂに仮想線で示した位置に容易にラジアル方向外側への撓みを示し、それは、シャフト１２の突き出し線に平行な線からボール７４からそれるのを小さくすることになる。
要するに、キューがボールを突く際にキュー先端部が容易に外方に撓むのを許容しながら曲がりを低減して、ボールが、シャフトの突き出し線に概して平行な動きの軌跡から意に反してそれるのを低減させることができる新規なフェルール，先端部，シャフトを有するビリヤード用のキューが開示されている。そのフェルールは、シャフトより大なる圧縮変形ができるようにしてあって、先端部がボールを突く際に生じる打撃力の一部を圧縮吸収する。これによって、意に反して先端部が内方に曲がるのを低減しながら、先端部，フェルール，シャフトの先端がより理想的に撓むことが容易になる。シャフト先端の中空なボアや所望ならばフェルールにおける中空なボアは、シャフト先端における重量又は質量を軽減してシャフト先端のより大なる横方向への加速や、更なる速度と打撃力とをもたらし、更にその打撃の際に先端部をより速く外方に撓ませることができる。最後に、このキューは、更に、従来品の半径より小さくより円弧状先端部を用いることによって内方への曲がりを低減する。
【図１】
0003760386.tif 000002
【図１１】
0003760386.tif 000003
【図２Ａ】
0003760386.tif 000004
【図２Ｂ】
0003760386.tif 000005
【図３】
0003760386.tif 000006
【図４】
0003760386.tif 000007
【図５】
0003760386.tif 000008
【図６】
0003760386.tif 000009
【図７】
0003760386.tif 000010
【図８】
0003760386.tif 000011
【図９】
0003760386.tif 000012
【図１０】
0003760386.tif 000013